(57)【要約】【課題】浴槽の水平レベルを、浴槽を設置した後でも容易に調整できる浴槽のレベル調整機構を提供する。【解決手段】浴室内に洗い場パン２と隣接して設置される浴槽１を、洗い場パン２に対して手前側に位置する前脚１３と、奥側に位置する後脚１４とで支持し、前脚１３及び後脚１４の調整ボルト１３ａ，１４ａを回転させて浴槽１の水平レベルを調整する浴槽のレベル調整機構において、浴槽１の手前側に回動自在にプーリ１５を設けると共に、後脚１４の調整ボルト１４ａと共に回転するプーリ１６を設け、これらのプーリ１５，１６にベルト１７を巻き掛ける。洗い場パン２の浴槽１側に起立する立上壁３の開口部４を介して、浴槽１の手前側のプーリ１５を回すと、ベルト１７を介して浴槽２の奥側のプーリ１６に回転が伝達され、後脚１４の調整ボルト１４ａが回転し、浴槽１のレベルを調整できる。【選択図】図１
2006116104.tif 000002
【特許請求の範囲】
【請求項１】
浴室内に洗い場パンと隣接して設置される浴槽を、洗い場パンに対して手前側に位置する前脚と、奥側に位置する後脚とで支持し、前脚及び後脚の調整ボルトを回転させて浴槽の水平レベルを調整する浴槽のレベル調整機構において、浴槽の手前側に回動自在にプーリを設けると共に、後脚の調整ボルトと共に回転するプーリを設け、これらのプーリにベルトを巻き掛け、洗い場パンの浴槽側に起立する立上壁の開口部を介して、浴槽の手前側のプーリを回せるようにしたことを特徴とする浴槽のレベル調整機構。
【発明の詳細な説明】
【技術分野】
【０００１】
この発明は、住居の浴室に洗い場パンと共に設置される浴槽のレベル調整機構に関するものである。
【背景技術】
【０００２】
一般に、ユニットバスの施工に際しては、図５に示すように、浴室内に浴槽１が洗い場パン２に隣接して設置される。この浴槽１は、洗い場パン２に対して手前側に位置する前脚５５と、奥側に位置する後脚５６とで支持され、前脚５５及び後脚５６の軸部をなす調整ボルトを回転させることにより、水平レベルを調整するようになっている。
【発明の開示】
【発明が解決しようとする課題】
【０００３】
しかしながら、この施工に際し、洗い場パン２及び浴槽１を順次設置した後、浴槽１の奥側のレベルを調整しようとすると、洗い場パン２の立上壁３に形成された開口部４から長いレンチ等を差し入れて、後脚５６の調整ボルトを回さなければならず、その作業が非常に困難であるという問題があった。
【０００４】
そこで、この発明は、浴槽の水平レベルを、浴槽を設置した後でも容易に調整できる浴槽のレベル調整機構を提供することを課題とする。
【課題を解決するための手段】
【０００５】
上記課題を解決するため、この発明は、浴室内に洗い場パンと隣接して設置される浴槽を、洗い場パンに対して手前側に位置する前脚と、奥側に位置する後脚とで支持し、前脚及び後脚の調整ボルトを回転させて浴槽の水平レベルを調整する浴槽のレベル調整機構において、浴槽の手前側に回動自在にプーリを設けると共に、後脚の調整ボルトと共に回転するプーリを設け、これらのプーリにベルトを巻き掛け、洗い場パンの浴槽側に起立する立上壁の開口部を介して、浴槽の手前側のプーリを回すと、ベルトを介して浴槽の奥側のプーリに回転が伝達され、このプーリと共に後脚の調整ボルトが回転し、浴槽の奥側のレベルが変化するようにしたのである。
【発明の効果】
【０００６】
このような浴槽のレベル調整機構では、洗い場パンに隣接して浴槽を設置した後でも、洗い場パンの浴槽側に起立する立上壁の開口部から手を入れて、浴槽の手前側のプーリを回すことにより、浴槽の奥側のレベルを変化させることができ、浴槽の水平レベルを容易に調整することができる。
【発明を実施するための最良の形態】
【０００７】
以下、この発明の実施の形態を添付図面に基づいて説明する。
【０００８】
図１乃至図３に示すように、このユニットバスの浴槽１は、洗い場パン２に隣接して設置されるものである。洗い場パン２には、浴槽１側に立上壁３が設けられ、立上壁３には作業用の開口部４が形成されている。この開口部４は、浴槽１の設置作業完了後、化粧カバー５により覆われる。
【０００９】
浴槽１は、左右一対の架台１１により支持される。架台１１は、図４に示すように、角パイプの支持材１２に、洗い場パン２に対して手前側に位置する前脚１３と、奥側に位置する後脚１４とを備えたものとされ、前脚１３及び後脚１４は、それぞれ調整ボルト１３ａ，１４ａの回転に伴い、支持材１２の前後の高さを調整する機能を備えている。
【００１０】
支持材１２には、前脚１３の側方にステー１２ａが突設され、このステー１２ａには、操作軸１５ａを有するプーリ１５が回動自在に設けられている。また、調整ボルト１４ａの上部にはプーリ１６が設けられ、プーリ１６は、調整ボルト１４ａと一体に回転するようになっている。
【００１１】
そして、これらのプーリ１５，１６には、断面形状がＶ字状の無端ベルト１７が巻き掛けられ、プーリ１５の操作軸１５ａを回すと、ベルト１７を介して浴槽１の奥側のプーリ１６に回転が伝達され、このプーリ１６と共に後脚１４の調整ボルト１４ａが回転するようになっている。
【００１２】
洗い場パン２は、図１に示すように、四本の脚柱６，７により支持され、各脚柱６，７には、レベル調整用の調整ボルト６ａ，７ａがねじ込まれている。浴室の隅側に位置する脚柱７の調整ボルト７ａは、浴槽１の設置場所の方向へ延長された操作軸７ｂを回して高さを調整できるようになっている。
【００１３】
上記のような浴槽１及び洗い場パン２の据え付けに際しては、浴室の内部に、浴槽１に先立って洗い場パン２を設置し、四本の脚柱６，７の調整ボルト６ａ及び操作軸７ｂを回して、洗い場パン２の水平レベルを調整する。また、一対の架台１１を浴槽１の裏面にボルトで取り付けておく。
【００１４】
その後、浴槽１を、洗い場パン２の立上壁３に沿わせて浴室の内部に設置し、立上壁３の開口部４から手を入れて、浴槽１が水平になるように、適宜、前脚１３の調整ボルト１３ａを回し、浴槽１の手前側のレベルを変化させると共に、プーリ１５の操作軸１５ａを回し、後脚１４の調整ボルト１４ａを回転させて、浴槽１の奥側のレベルを変化させる。
【００１５】
このように、レベル調整機構を備えた架台１１を使用すると、洗い場パン２に隣接して浴槽１を設置した後でも、洗い場パン２の開口部４から手を入れて、浴槽１の手前側のプーリ１５の操作軸１５ａを回すことにより、浴槽１の奥側のレベルを変化させることができるので、浴槽１の水平レベルを容易に調整することができる。
【００１６】
なお、上記実施形態では、浴槽１を支持する架台１１にレベル調整機構を装備したが、浴槽１に前脚及び後脚を直接取り付ける場合には、浴槽１の下部にレベル調整機構を装備するようにしてもよい。
【図面の簡単な説明】
【００１７】
【図１】この発明に係るレベル調整機構を備えたユニットバスの分解斜視図
【図２】同上の施工状態を示す斜視図
【図３】同上の縦断側面図
【図４】同上の架台の拡大斜視図
【図５】従来の浴槽と洗い場パンの設置状態を示す斜視図
【符号の説明】
【００１８】
１  浴槽
２  洗い場パン
３  立上壁
４  開口部
５  化粧カバー
６，７  脚柱
６ａ，７ａ  調整ボルト
７ｂ  操作軸
１１  架台
１２  支持材
１２ａ  ステー
１３  前脚
１４  後脚
１３ａ，１４ａ  調整ボルト
１５，１６  プーリ
１５ａ  操作軸
１７  ベルト
【図１】
2006116104.tif 000003
【図２】
2006116104.tif 000004
【図３】
2006116104.tif 000005
【図４】
2006116104.tif 000006
【図５】
2006116104.tif 000007